(57)【要約】【課題】圃場内に深く植え付けることが必要なエシャロットの種などの植え付けができて、しかも出芽を阻害するおそれのない移植機を提供すること。【解決手段】機体３に取り付けた昇降機構Ａにより種植付具１９を下降させて土壌に突入することで移植物を圃場に植え付けると、該植付具１９の後方で前記昇降機構Ａの下降時に、植付具１９により既に植え付けた移植物の上方に作孔する作孔器２２とを設けた移植機であり、植付具１９で鉛直方向に深い種植付用の穴に種を植え付けることができ作孔器２２により前記深い種植付用の穴を塞がないように作孔することができる。【選択図】図１
2010022268.tif 000002
【特許請求の範囲】
【請求項１】
機体（３）に支持される前後一対の前後輪（１，１；２，２）と、
機体（３）に取り付けた昇降自在の昇降機構（Ａ）と、
該昇降機構（Ａ）に取り付けて、土壌に突入することで移植物を圃場に植え付ける植付具（１９）と、
該植付具（１９）の後方で前記昇降機構（Ａ）により下降時に、植付具（１９）により既に植え付けた移植物の上方に作孔する作孔器（２２）と
を備えた移植機。
【発明の詳細な説明】
【技術分野】
【０００１】
本発明は、圃場に移植物を深く植え付けることができる移植機に関する。
【背景技術】
【０００２】
植え付ける作業前に特段の準備工程が必要なく球根や芋類を所定の姿勢で圃場に植え付ける球根類の植付用の移植機が知られている。
【特許文献１】特開２００４−１８７５７１号公報
【発明の開示】
【発明が解決しようとする課題】
【０００３】
上記特許文献１記載の球根類の移植機は、球根を保持するホルダを連結したチェーンの一部を圃場近くに循環供給して、そのタイミングで植込み体でホルダ内の球根を下方に向けて取り出して圃場に植え付けるものである。
【０００４】
しかし、特許文献１記載の球根類の移植機では圃場内に深く植え付けることが必要なエシャロットの種などの植え付けに用いると、出芽を阻害するおそれがある。
【０００５】
本発明の課題は、圃場内に深く植え付けることが必要なエシャロットの種などの植え付けができて、しかも出芽を阻害するおそれのない移植機を提供することである。
【課題を解決するための手段】
【０００６】
請求項１記載の発明は、機体（３）に支持される前後一対の前後輪（１，１；２，２）と、機体（３）に取り付けた昇降自在の昇降機構（Ａ）と、該昇降機構（Ａ）に取り付けて、土壌に突入することで移植物を圃場に植え付ける植付具（１９）と、該植付具（１９）の後方で前記昇降機構（Ａ）により下降時に、植付具（１９）により既に植え付けた移植物の上方に作孔する作孔器（２２）とを備えた移植機である。
【発明の効果】
【０００７】
請求項１記載の発明によれば、植付具（１９）で鉛直方向に深い種植付用の穴に種を植え付けることができ、作孔器（２２）により前記植付具（１９）で植え付けた深い種植付用の穴を塞がないように作孔することができる。
【発明を実施するための最良の形態】
【０００８】
以下、図面に基づいてこの発明の実施の形態の移植機を説明する。移植機の側面図を図１に示し、平面図を図２に示す。なお、本明細書では、移植機の前進する方向を前、後退する方向を後といい、前進方向に向かって左側と右側をそれぞれ左右という。
【０００９】
本実施例の移植機は、走行装置である左右一対の前輪１，１と左右一対の後輪２，２を備えて畝Ｕを跨いで自走する機体３を設け、該機体３の後部に歩行操縦用の一対のハンドル４，４を設けている。左右一対の前輪１，１の車軸１ａと左右一対の後輪２，２の車軸２ａと機体３との間には機体３の前後で支持する水平方向の支持部材６，７と鉛直方向の支持部材８，９が設けられている。該水平方向支持部材６、７と鉛直方向支持部材８，９には水平方向と鉛直方向にそれぞれ複数のピン止め部６ａ，７ａ；８ａ，９ａがあり、前後輪１，２の幅及び機体３の前後輪１，２からの高さを適宜変更できる。
【００１０】
機体３の前部に多数のエシャロットの種またはその他の苗などの作物を収納した載置棚又トレイ５を複数段設けている。また複数段の載置棚又トレイ５の前方部は第１支柱１０，１０に支持され、複数段の載置棚又トレイ５の後端部は第２支柱１１，１１に支持されている。また第２支柱１１，１１の上端部には補助の載置棚又トレイ５’が取り付けられている。
【００１１】
また平面視で左右の後輪２，２の間で機体３上に掛け渡された正面視コ字状の支持アーム１２に取り付けられたカラー１３，１３を介して側面視Ｌ字状の一対の部材１５，１５が支持されている。該ハンドル支持アーム１２は前記第２支柱１１、１１の直後に配置され、該支持アーム１２の基部が機体３に支持され、その梁部分に取り付けられたカラー１３，１３にＬ字状の部材１５，１５の前端部が固着されている。該カラー１３，１３を支持アーム１２の梁部分に固定する螺子１３ａを設けているので、その螺子１３ａを締め付けることでＬ字状部材１５，１５の支持アーム１２に対する取り付け角度が調整可能になっている。  
また、ハンドル支持アーム１２の上側両端には機体を前後進させる把持部１４ａを備えた操作部材１４を一対取り付けている。  
さらに、支持アーム１２の後方にハンドル４を上下方向にスライドするための第３支柱１６が部材１２に支持固定されており、該第３支柱１６にはハンドル４を上下にスライド自在の貫通孔（図示せず）が設けられており、また第３支柱１６の上端に設けたプレート１６ａでハンドル４をスプリング１８を介して吊り下げているので、ハンドル４はスプリング１８に吊り下げられながら、上下方向に移動自在になっている。
【００１２】
また、一対のハンドル４，４の中間部には下端が円錐状の種植付具１９がそれぞれ取り付けられている。そして、ハンドル４，４の上下動により種植付具１９も上下動し、圃場中に種植付具１９が入り込むことで苗を圃場に植え付けることができる。
【００１３】
種植付具１９は、その下端部が開放自在の一対のくちばし体１９ａ，１９ｂからできておりハンドル４に設けたレバー４ａを握ると、レバー４ａと一対のくちばし体１９ａ，１９ｂに両端部が接続しているワイヤ２３により図示しない機構で一対のくちばし体１９ａ，１９ｂの下端部が開放して種を圃場に植え付けることができる周知のくちばし体開閉機構を備えている。
【００１４】
種植付具１９は、一対のくちばし体１９ａ，１９ｂの上側には上下に細長い円筒形であるので、圃場に深く入り込んで種を地中深くに植え付けることができる。  
また、種植付具１９の中間部の周囲に固着した水平方向に平面がある板体２１が設けられて、該板体２１を作業者の足踏み用のステップとする。  
なお、これら第３支柱１６、プレート１６ａ、ハンドル４、スプリング１８、板体２１などを種植付具１９の昇降機構Ａということがある。
【００１５】
さらにその板体２１の後方に連結して前記種植付具１９の後方位置に既に植え付けた種（移植物）の上方に作孔する作孔器２２が取り付けられている。種植付具１９と作孔器２２の間隔を種の植え付け間隔とする目安とすることができる。
【００１６】
従って種植付具１９の先端の一対のくちばし体１９ａ，１９ｂを多少開き気味にして圃場に深く入り込んで種を地中深くに植え付けた後、ステップ用の板体２１を作業者が踏み付けることで種を植え付けた領域の圃場を固めることで種植付体により生じた穴が深くても圃場の壁面の土が崩れ落ちることが無くなる。
【００１７】
また、たとえ種植付具１９で作成した種植付溝の壁面が崩れても、作業機が所定距離だけ前進した後、作孔器１９が前記種植付溝部分の圃場に作孔する。このためエシャロットなど圃場に深く種を植え付ける必要のある作物であっても、出芽ができなくなるおそれは無い。なお、ステップ用の板体２１の種植付具１９への取り付け高さを調整して、種の種類に応じて板体２１で圃場の表面を踏み固めるときの圃場への種の植付深さが適切になるようにしている。
【００１８】
さらに、図２の平面図に示すように  ステップ用の板体の後端部が後輪２，２の後側に接するように板体２１を種植付具１９に取り付けると板体２１を踏みつけるときに後輪２に着いた泥を取り除くことができる。
【００１９】
また、種植付具１９を用いて圃場に種を植え付けるときに左側のハンドル４の握り部に設けた左側のレバー４ａを握るとワイヤ２５を介して左後輪２にブレーキが掛かる構成になっている。
【産業上の利用可能性】
【００２０】
本発明は、重労働となる種、苗の植え付け作業に適した移植機として有用性が高い。
【図面の簡単な説明】
【００２１】
【図１】本発明の実施例の移植機の側面図である。
【図２】図１の移植機の平面図である。
【符号の説明】
【００２２】
１  前輪                  １ａ  前輪車軸
１ｂ  前輪支持部材        ２  後輪
３  機体                  ４  ハンドル
４ａ  レバー              ５  載置棚又トレイ
５’  載置棚又トレイ      ６，７  水平方向支持部材
８、９  鉛直方向支持部材  １０  第１支柱
１１  第２支柱            １２  支持アーム
１３  カラー              １３ａ  螺子
１４  操作部材            １４ａ  把持部
１５  Ｌ字状部材          １６  第３支柱
１６ａ  プレート          １８  スプリング
１９  種植付体            １９ａ  くちばし体
２１  板体                ２  作孔器
２３，２５  ワイヤ
【図１】
2010022268.tif 000003
【図２】
2010022268.tif 000004